(57)【要約】【課題】  低コストで異物による不具合を防止する。【解決手段】  ストロボ２４とこのストロボ２４が出入りする開口１００との間には、僅かであるが、隙間が形成されている。また、ズームレンズユニット５０の内筒５２と外筒５４とが出入りする開口１０２との間にも、やはり僅かであるが、隙間が形成されている。よって、このような、隙間を介して、カメラ筐体１２の内と外とが連通している。そして、隙間から進入しようとする塵や埃などの異物が、隙間に貼り付けられている粘着シートの粘着層に付着する。粘着層に当たらずにすり抜け、カメラ筐体１２の内部に侵入した異物は、ズームレンズユニット５０から露出する第一ギア１５０や駆動モータ１５２に取り付けられた第二ギア１５４に付着する。しかし、第一ギア１５０，第二ギア１５４が回転すると、第一弾性シート１６０，第二弾性シート１６２が第一ギア１５０，第二ギア１５４に付着した異物をかき出して取り除く。【選択図】  図２
2006251197.tif 000002
【特許請求の範囲】
【請求項１】
撮像装置筐体と、
前記撮像装置筐体の内と外とを連通する隙間部と、
前記隙間部に設けられた粘着層と、
を備えることを特徴とする撮像装置。
【請求項２】
前記撮像装置筐体に設けられた開口と、
前記開口を移動する移動部材と、
を備え、
前記隙間部は、前記開口と前記移動部材との隙間であることを特徴とする請求項１に記載の撮像装置。
【請求項３】
前記移動部材は、光軸方向に移動する移動鏡胴であることを特徴とする請求項２に記載の撮像装置。
【請求項４】
前記移動鏡胴を備えるレンズユニットと、
前記レンズユニットに取り付けられ、前記移動鏡胴を移動させる移動機構の第一ギアと、
前記撮像装置筐体に設けられ、前記第一ギアと噛み合う第二ギアと、
を備えることを特徴とする請求項３に記載の撮像装置。
【請求項５】
撮像装置筐体と、
前記撮像装置筐体に設けられた開口と、
前記開口を光軸方向に移動する移動鏡胴と、
前記移動鏡胴を備え、前記撮像装置筐体に設けられたレンズユニットと、
前記レンズユニットに取り付けられ、前記移動鏡胴を移動させる移動機構の第一ギアと、
前記撮像装置筐体に設けられ、前記第一ギアと噛み合う第二ギアと、
を有し、
先端部が前記第一ギアの歯に当接し、前記第一ギアの回転に伴い、前記歯に付着した異物を取り除く第一弾性シートと、
先端部が前記第二ギアの歯に当接し、前記第二ギアの回転に伴い、前記歯に付着した異物を取り除く第二弾性シートと、
のいずれか一方、又は両方を備えることを特徴とする撮像装置。
【請求項６】
前記第一弾性シートと前記第二弾性シートとのいずれか一方、又は両方の近傍に粘着層を設けることを特徴とする請求項５に記載の撮像装置。
【発明の詳細な説明】
【技術分野】
【０００１】
本発明は、撮像装置に関する。
【背景技術】
【０００２】
光学ズーム機能付のレンズユニットは、固定側レンズを備える固定側鏡胴が光軸を中心として回動自在に支持され、移動側レンズを備える移動側鏡胴を、この固定側鏡胴に光軸方向に摺動自在に保持させている。そして、このような構成のレンズユニットには、固定側鏡胴の回転に伴い、移動側鏡胴を光軸方向に移動させる移動機構を備えている。
【０００３】
さて、このようなレンズユニットを備えるカメラは、移動鏡胴がカメラ筐体に対して進退する構造であるため、移動側鏡胴と固定側鏡胴との間、あるいは、移動側鏡胴とカメラ筐体との間には、僅かな隙間が形成されている。このため、この隙間を介してカメラ筐体の内外が連通していることになる。したがって、この隙間から塵や埃などの異物がカメラ筐体の内部に侵入してしまう。
【０００４】
よって、カメラ筐体の進入した異物による不具合を防止するため、レンズユニットをモジュール化して密閉し、異物によるレンズユニットへの不具合を防止していた。
【０００５】
しかし、小型化などのため、レンズユニットからギアが露出し、このギアにカメラ内部の駆動機構のギアを噛み合わせる構成となったカメラがある。このようにギアが露出した構成のカメラでは、露出したギアに進入した異物が付着して噛み込み、動作不良を起こすことがある。
【０００６】
したがって、移動側鏡胴を挿通した孔部の周縁部に設けた吹出口から空気を吹き出して異物を吹き飛ばし、カメラ筐体への異物の進入を防ぐ構成が提案されている。例えば、特許文献１参照）。
【０００７】
あるいは、移動側鏡胴を挿通した孔部の周縁部に帯電部材を配置し、電気的に異物を付着させ、カメラ筐体への異物の進入を防ぐ構成が提案されている。（例えば、特許文献２参照）。
【０００８】
しかしながら、上述した構成は、空気を吹き出す機構や帯電部材（及び帯電機構）が必要であるので、高コストである。
【０００９】
また、海岸で撮影中に砂浜に落とすと、カメラ筐体に砂粒が進入することがある。このような状況では、空気中に漂っている埃と異なり、進入前に吹き飛ばすことは困難である。また、砂粒は埃などと比較し大きいので、帯電部材に付着させ、進入を防止することも困難である。
【特許文献１】特開平０８−３３９０１７号公報
【特許文献２】特開平０９−４３６５６号公報
【発明の開示】
【発明が解決しようとする課題】
【００１０】
本発明は、上記問題を解決すべく成されたもので、低コストで異物による不具合を防止する撮像装置を提供することを目的とする。
【課題を解決するための手段】
【００１１】
上記問題を解決するために、本発明の撮像装置は、撮像装置筐体と、前記撮像装置筐体の内と外とを連通する隙間部と、前記隙間部に設けられた粘着層と、を備えることを特徴としている。
【００１２】
このように、撮像装置筐体の内と外とを連通する隙間部から進入しようとする異物を、隙間部に設けられた粘着層に異物を付着させることで、撮像装置筐体内への異物の進入を防止している。つまり、粘着層を設けるだけの簡単で低コストな構成で異物による不具合を防止している。
【００１３】
なお、粘着層は、他の吸着手段、例えば、電気的に異物を吸着させる手段と比較し、粘着力（吸着力）が大きいので、例えば、砂粒などの比較的大きな異物でも付着させ、異物の進入を防止できる。
【００１４】
更に好適には、前記撮像装置筐体に設けられた開口と、前記開口を移動する移動部材と、を備え、前記隙間部は、前記開口と前記移動部材との隙間であっても良い。
【００１５】
撮像装置筐体に設けられた開口を移動部材が移動するためには、開口と移動部材との間に隙間が必要である。そして、この隙間を介して撮像装置筐体の内と外とが連通している。よって、この隙間から進入しようとする異物を粘着層に付着させることで、撮像装置筐体内部への異物の進入を防止できる。
【００１６】
更に好適には、前記移動部材は、光軸方向に移動する移動鏡胴であっても良い。
【００１７】
光軸方向に移動する移動鏡胴と開口との間に隙間がある。よって、この隙間から進入しようとする異物を粘着層に付着させることで、撮像装置筐体内部への異物の進入を防止できる。
【００１８】
更に好適には、前記移動鏡胴を備えるレンズユニットと、前記レンズユニットに取り付けられ、前記移動鏡胴を移動させる移動機構の第一ギアと、前記撮像装置筐体に設けられ、前記第一ギアと噛み合う第二ギアと、を備えていても良い。
【００１９】
移動鏡胴と開口との間の隙間から進入しようとする異物を、粘着層に付着させることで、撮像装置筐体内部への異物の進入を防止している。よって、第一ギアと第二ギアとの噛み合い部分に異物が噛み込まれ、動作不良となることは無い。
【００２０】
また、本発明の撮像装置は、撮像装置筐体と、前記像筐体に設けられた開口と、前記開口を光軸方向に移動する移動鏡胴と、前記移動鏡胴を備え、前記撮像装置筐体に設けられたレンズユニットと、前記レンズユニットに取り付けられ、前記移動鏡胴を移動させる移動機構の第一ギアと、前記撮像装置筐体に設けられ、前記第一ギアと噛み合う第二ギアと、を有し、先端部が前記第一ギアの歯に当接し、前記第一ギアの回転に伴い、前記歯に付着した異物を取り除く第一弾性シートと、先端部が前記第二ギアの歯に当接し、前記第二ギアの回転に伴い、前記歯に付着した異物を取り除く第二弾性シートと、のいずれか一方、又は両方を備えることを特徴としている。
【００２１】
光軸方向に移動する移動鏡胴と開口との間に隙間がある。そして、この隙間を介して撮像装置筐体の内と外とが連通している。また、移動鏡胴を移動させる移動機構の第一ギアがレンズユニットに取り付けられ、この第一ギアに第二ギアが噛み合っている。
【００２２】
さて、上述した隙間から異物が進入し、第一ギア，第二ギアの歯に付着する。第一ギア，第二ギアの回転に伴い、第一弾性シートの先端部で第一ギアの歯に付着した異物を取り除き、第二弾性シートの先端部で第二ギアの歯に付着した異物を取り除く。
【００２３】
したがって、第一ギアと第二ギアとの噛み合い部分に異物が噛み込まれ、動作不良となることは無い。つまり、このように第一弾性シート，第二弾性シートを設けるだけの簡単で低コストな構成で異物による不具合を防止している。
【００２４】
更に好適には、前記第一弾性シートと前記第二弾性シートのいずれか一方、又は両方の近傍に粘着層を設けても良い。
【００２５】
このように、第一弾性シートと第二弾性シートのいずれか一方、又は両方の近傍に粘着層を設けているので、取り除かれた異物が粘着層に付着する。よって、取り除かれた異物が、例えば、他の部分に付着し、不具合の原因となることはない。
【発明の効果】
【００２６】
以上、説明したように、簡単で低コストな構成で異物による不具合を防止できる。
【発明を実施するための最良の形態】
【００２７】
つぎに、図面を参照して本発明に係る実施形態の一例を詳細に説明する。
【００２８】
図１（Ａ）に示すように、本発明が適用されたデジタルスチルカメラ１０（以下、デジタルカメラ１０と略す）のカメラ筐体１２の正面には、撮影される被写体像と略同等の像を示す光が入射するファインダー窓１４が設けられている。更に、レンズ２０（図１（Ｂ）参照）を保護するための開閉可能なレンズバリア１６が設けられている。なお、図１（Ａ）では、レンズバリア１６は閉状態である。また、カメラ筐体１２の側面には、内部に配設されたスピーカー（図示略）の音を通すためのスピーカー孔１８が形成されている。更に、カメラ筐体１２の上部には、シャッターボタン２２が配置されている。また、図示は省略するが、カメラ筐体１２の背面には、被写体像及び記録済み画像の再生画像を表示させることができる液晶モニターが設けられている。
【００２９】
図１（Ｂ）に示すように、デジタルカメラ１０は、撮影時には前述したレンズバリヤ１６（図１（Ａ）参照）が開きレンズ２０が外部に現れるとともに、２段繰り出し式のズームレンズユニット５０の沈胴されていた内筒５２と外筒５４とが伸長する。
【００３０】
また、デジタルカメラ１０のカメラ筐体１２の内部には、ストロボ２４も格納されており、露光に際して被写体が適正な露光光量が得られない低照度の場合には、カメラ筐体１２の上部の開口１００から突出させ、発光させることができる。
【００３１】
図２に示すように、２段繰り出し式のズームレンズユニット５０は、カメラ筐体１２の内部に固定された固定筒５６と、この固定筒５６の内側に位置して固定筒５６の前端から光軸方向に摺動して出没する外筒５４と、この外筒５４の内側に位置して外筒５４の前端から光軸方向に摺動して出没する内筒５２とを備えている。また、ズームレンズユニット５０を通過した光は、ＣＣＤ等からなる撮像素子２６に結像する。
【００３２】
内筒５２には、レンズ２０などからなるズームレンズ郡が保持されている。外筒５４には、レンズ２１などからなるオートフォーカスレンズ郡が保持されている。
【００３３】
ズームレンズ群は、内筒５２の伸縮と共に光軸方向に移動し、所望のズーム倍率になる位置にセットされる（焦点距離可変レンズ）。
【００３４】
一方、オートフォーカスレンズ群は、レンズを通過した入射光が撮像素子２６に結像する位置にセットされる（オートフォーカス（ＡＦ）機構）。
【００３５】
内筒５２と外筒５４とを光軸方向に移動させる移動機構の第一ギア１５０が取り付けられている。この第一ギア１５０はズームレンズユニット５０から露出している。第一ギア１５０は、カメラ筐体１２内部に設けられた駆動モータ１５２に取り付けられた第二ギア１５４と噛み合っている。そして、駆動モータ１５２の駆動力を第二ギア１５４を介して、第一ギア１５０に伝達して第一ギア１５０を回転させることで、内筒５２と外筒５４とが光軸方向に移動する。
【００３６】
なお、本発明は、以降で説明するように、内筒５２，外筒５４を光軸方向に移動させる移動機構の第一ギア１５０がレンズユニット５０から露出し、この露出した第一ギアに第二ギア１５４が噛み合っている構成が重要であり、移動機構自体の機構は直接関係ない。よって、図２は、非常に簡単に、しかも模式的に図示してあり、実際の移動機構は上記より複雑な機構となっている。
【００３７】
さて、第一ギア１５０の下方には、ＰＥＴなどからなる薄い板状の弾性変形する第一弾性シート１６０の一端が第一台部１６４に固定されている。また、第二ギア１５４の上方には、第一弾性シート１６０と同様の第二弾性シート１６２の一端が第二台部１６６に固定されている。
【００３８】
また、図５に示すように、第一弾性シート１６０の他端（先端）は、第一ギア１５０の歯底１５０Ｂに当接している。また、第一弾性シート１６０は、第一ギア１５０の回転中心に向かって真っ直ぐに立設している。同様に、第二弾性シート１６２の他端（先端）は、第二ギア１５４の歯底１５４Ｂに当接し、第一ギア１５４の回転中心に向かって真っ直ぐに立設している。
【００３９】
図３（Ａ）に示すように、カメラ筐体１２は、ストロボ２４が出入りする開口１００を備えている。開口１００には、内側方向に立設するリブ１０１が形成されている。そして、開口１００の側面（リブ１０１の側面を含む）と周囲とには、粘着シート２００が貼り付けられている。
【００４０】
また、図３（Ｂ）に示すように、カメラ筐体１２は、ズームレンズユニット５０の内筒５２と外筒５４とが出入りする開口１０２を備えている。また、開口１０２には、内側方向に立設するリブ１０３が形成されている。そして、開口１０２の側面（リブ１０３の側面を含む）に同様の粘着シート２００が貼り付けられている。更に、ズームレンズユニット５０の固定筒５６のリブ１０３に対向する面５６Ａにも、同様の粘着シート２００が貼り付けられている。
【００４１】
更に、図２、図５に示すように、第一弾性シート１６０、第二弾性シート１６２の一端が固定されている第一台部１６４，第二台部１６６、及び、その周辺にも、粘着シートが貼り付けられている。
【００４２】
図４に示すように、粘着シート２００は、基体２０４の上に粘着層２０２が形成されており、粘着層２０２が外面となるように、基体２０４側を貼り付ける。また、いずれの粘着シート２００も、例えば、両面テープ等で、容易に着脱可能（交換可能）に貼り付けられている。
【００４３】
つぎに、本実施形態の作用について説明する。
【００４４】
図２、図３（Ａ）に示すように、ストロボ２４とこのストロボ２４が出入りする開口１００との間には、僅かであるが、隙間１０２Ａが形成されている。
【００４５】
更に、図２、図３（Ｂ）に示すように、ズームレンズユニット５０の外筒５４と開口１００との間にも隙間１０２Ａがある。更に、隙間１０２Ａと連続して、固定筒５６とリブ１０３との間にも隙間１０２Ｂがある。
【００４６】
よって、隙間１００Ａ，１０２Ａ，１０２Ｂを介して、カメラ筐体１２の内と外とが連通している。なお、図２、図３では、判りやすくするため、隙間１００Ａ，１０２Ａ，１０２Ｂは、実際より大きく図示している。
【００４７】
そして、隙間１００Ａ，１０２Ａ，１０２Ｂから進入しようとする塵や埃などの異物は、粘着シート２００の粘着層２０２（図４参照）に付着する。よって、カメラ筐体１２内部への異物の進入が防止される。
【００４８】
なお、粘着層２０２の粘着力は、例えば、静電気力等と比較すると大きいので、砂粒などの比較的大きな異物でも付着し、カメラ筐体１２内部への進入を防止することができる。
【００４９】
しかしながら、粘着層２０２に当たらずにすり抜け、カメラ筐体１２の内部に侵入する異物もある。そして、このカメラ筐体１２に進入した異物が、ズームレンズユニット５０から露出する第一ギア１５０の歯１５０Ａと歯１５０Ａとの間に入り込むことがある。あるいは、駆動モータ１５２に取り付けられた第二ギア１５４の歯１５４Ａと歯１５４Ａとの間に入り込むことがある。
【００５０】
しかし、図６の（Ａ）から（Ｆ）に順番に示すように、内筒５２，外筒５４を光軸方向に移動させる為（図１、図２を参照）、第一ギア１５０を回転させると、第一弾性シート１６０が、第一ギア１５０の歯１５０Ａと歯１５０Ａとの間に入り込んだ異物Ｑをかき出して取り除く。また、図示は省略するが、駆動モータ１５２に取り付けられた第二ギア１５４の歯１５４Ａと歯１５４Ａとの間に入り込んだ異物Ｑも、第二弾性シート１６２によって、同様にかき出され取り除かれる。
【００５１】
したがって、第一ギア１５０と第二ギア１５４の噛み合い部分に異物Ｑが噛み込まれ、動作不良を起こすことはない。また、第一弾性シート１６０、第二弾性シート１６２のかき出し力は大きいので、前述した砂粒のような比較的大きな異物でも取り除ける。
【００５２】
なお、上記では、異物は歯１５０Ａ（１５４Ａ）と歯１５０Ａ（１５４Ａ）との間の歯底１５０Ｂ（１５４Ｂ）にまで入り込んだ状態で説明したが、歯底１５０Ｂ（１５４Ｂ）まで入り込まずに、歯１５０Ａ（１５４Ａ）に付着した状態（図６（Ｄ）のような状態）であっても同様に取り除かれる。
【００５３】
なお、このようにして取り除かれた異物は、第一弾性シート１６０、第二弾性シート１６２の一端が取り付けられている第一台部１６４、第二台部１６６、及びその周辺に取り付けられた粘着シート２００の粘着層２０２に付着する。よって、取り除かれた異物が、例えば、他の部分に付着し、不具合の原因となることが無い。
【００５４】
なお、第一弾性シート１６０及び第二弾性シート１６２は、第一ギア１５０及び第二ギア１５４の回転の抵抗となる。また、第一ギア１５０及び第二ギア１５４は、両方向に回転する。そして、前述したように、第一弾性シート１６０及び第二弾性シート１６２ともに、第一ギア１５０及び第二ギア１５４の回転中心に向かって真っ直ぐに立設している。よって、いずれの回転方向においても、第一弾性シート１６０及び第二弾性シート１６２による、回転に対する抵抗は同じとなる。したがって、回転方向によって、回転させる駆動力に変化が生じない。よって、駆動モータ１５２の回転制御が容易である。また、いずれの回転方向でも、つまり、図６での図示と回転が逆方向でも、第一弾性シート１６０及び第二弾性シート１６２は同様に異物をかき出して取り除くことができる。
【００５５】
このように、非常に簡単で低コストな構成で、異物による不具合を防止できる。しかも、砂粒などの比較的大きな異物でも対応できる。
【００５６】
なお、粘着シート２００は容易に着脱可能（交換可能）でるので、異物が付いたり経時変化なので粘着層２０２の粘着力が低下しても、粘着シート２００を新品に交換することで、粘着力を維持できる。
【００５７】
尚、本発明は、上記の実施の形態に限定されるものではない。
【００５８】
例えば、粘着シート２００は、上記以外の場所に設けても良い。例えば、図１に示すスピーカー孔１８に貼り付けても良い。あるいは、シャッターボタン２２の隙間、あるいは、その他の隙間部に設けても良い。
【００５９】
また、例えば、第一ギア１５０，第二ギア１５４には、それぞれ各１枚の第一弾性シート，第二弾性シートで、異物をかき出して取り除いていたが、複数枚の第一弾性シート，第二弾性シートで、かき出して取り除く構成であっても良い。また、第一弾性シート１６０及び第二弾性シート１６２のいずれか一方のみを備えていても良い。
【００６０】
また、例えば、レンズユニット５０がカメラ筐体１２内部に完全に沈胴して格納される構成でなくても良い。レンズユニットの一部が突出したままの構成でも良い。
【００６１】
また、上記実施形態では、主に静止画像を撮影するデジタルスチルカメラを例にとって説明したが、これに限定されない。主に動画を撮影するデジタルビデオカメラやＤＶＤカメラ、あるいは、携帯電話のカメラ、更に、写真フイルムを使用するフイルムカメラなど、各種の撮像装置全般に、本発明は適用できる。
【図面の簡単な説明】
【００６２】
【図１】本実施の形態に係わるデジタルスチルカメラの、（Ａ）はズームレンズユニットとストロボとがカメラ筐体内に格納された状態の外観を示し、（Ｂ）はズームレンズが伸長し、ストロボが突出している状態の外観を示す斜視図である。
【図２】本実施の形態に係わるデジタルスチルカメラの、（Ａ）はズームレンズユニットとストロボとがカメラ筐体内に格納された状態の内部を模式的に示し、（Ｂ）はズームレンズが伸長し、ストロボが突出している状態の内部を模式的に図である。
【図３】図２の、（Ａ）は開口とストロボとの隙間部分を拡大した図であり、（Ｂ）は開口とズームレンズユニットとの隙間部分を拡大した図である。
【図４】粘着シートの断面図である。
【図５】第一ギア及び第二ギアに、第一弾性シート及び第二弾性シートが当接している状態を模式的に示す図である。
【図６】第一ギアに付着した異物を第一弾性シートがかき出して取り除く様子を（Ａ）から（Ｆ）に順番に示した図である。
【符号の説明】
【００６３】
１０      デジタルスチルカメラ（撮像装置）
１２      カメラ筐体（撮像装置筐体）
１８      スピーカー孔（隙間部）
２４      ストロボ（移動部材）
５０      ズームレンズユニット（レンズユニット）
５４      外筒（移動鏡胴）
１００      開口
１００Ａ    隙間（隙間部）
１０２      開口
１０２Ａ    隙間（隙間部）
１０２Ｂ    隙間（隙間部）
１５０      第一ギア
１５４      第二ギア
１６０      第一弾性シート
１６２      第二弾性シート
２０２      粘着層
【図１】
2006251197.tif 000003
【図２】
2006251197.tif 000004
【図３】
2006251197.tif 000005
【図４】
2006251197.tif 000006
【図５】
2006251197.tif 000007
【図６】
2006251197.tif 000008